(57)【要約】      （修正有）【課題】大きく不規則に動き、且つ、不規則な音を発することにより、漁獲作用の高い、バズブレイド付き釣用ルアーを提供する。【解決手段】本バズブレイド付き釣用ルアー１０は、釣糸結着部１ｄと、該釣糸結着部よりも後方に伸びた上側アーム１ａと、釣糸結着部よりも後方に伸び、上側アームの下方に配置された下側アーム１ｂとを含む、アーム１と、上側アームに回転可能に軸着されたバズブレイド２と、下側アームの後端部に連結され下側アームに対して左右及び前後に揺動可能なブレイド８と、ブレイドを介して下側アームに連結されブレイドに対して左右及び前後に揺動可能な錘５と、錘の後端部に連結されたフック７とを含み、バズブレイドが回転しブレイドが揺動するとバズブレイドとブレイドとが接触して接触音を生じる位置関係で、バズブレイドとブレイドとが配置されている。【選択図】図４
0003170756.tif 000002
【実用新案登録請求の範囲】
【請求項１】
釣糸結着部と、前記釣糸結着部よりも後方に伸びた上側アームと、前記釣糸結着部よりも後方に伸び、前記上側アームの下方に配置された下側アームとを含む、アームと、
前記上側アームに回転可能に軸着されたバズブレイドと、
前記下側アームの後端部に連結され前記下側アームに対して左右及び前後に揺動可能なブレイドと、
前記ブレイドを介して前記下側アームに連結され前記ブレイドに対して左右及び前後に揺動可能な錘と、
前記錘の後端部に連結されたフックとを含み、
前記バズブレイドが回転し前記ブレイドが揺動すると前記バズブレイドと前記ブレイドとが接触して接触音を生じる位置関係で、前記バズブレイドと前記ブレイドとが配置されているバズブレイド付き釣用ルアー。
【請求項２】
前記下側アームは、その後端部がリング部を含み、
前記ブレイドは、スプリットリングを介して前記下側アームに連結されており、
前記スプリットリングが、前記ブレイドに形成され上下方向に配置された１対の第１貫通孔内に遊挿され、且つ、前記リング部内に遊挿されることにより、前記下側アームと前記ブレイドとが連結された請求項１に記載のバズブレイド付き釣用ルアー。
【請求項３】
前記錘は、接続リングを介して前記ブレイドに連結されており、
前記接続リングが、前記ブレイドの前記１対の第１貫通孔の下方に形成された第２貫通孔に遊挿されることにより、前記錘が前記ブレイドに対して左右及び前後に揺動可能に連結された、請求項２に記載のバズブレイド付き釣用ルアー。
【請求項４】
前記錘の先端部よりもより後方に配置され前記フックを覆うラバースカートをさらに含む、請求項１〜３のいずれかの項に記載のバズブレイド付き釣用ルアー。
【請求項５】
前記バズブレイド及び前記ブレイドがともに金属製である請求項１〜４の何れかの項に記載のバズブレイド付き釣用ルアー。
【請求項６】
前記バズブレイドは、前記上側アームに沿って、前後方向にスライド可能であり、
前記バズブレイドが前記上側アームにおける前記バズブレイドの移動可能領域のうちの後方側に配置されたときに、回転する前記バズブレイドと前記ブレイドとが接触するが、
前記バズブレイドが前記上側アームにおける前記バズブレイドの移動可能領域のうちの前方側に配置されたときには、回転する前記バズブレイドと前記ブレイドは接触しない、請求項１〜５の何れかの項に記載のバズブレイド付き釣用ルアー。
【考案の詳細な説明】
【技術分野】
【０００１】
本考案は、改良されたバズブレイド付き釣用ルアーに関する。
【背景技術】
【０００２】
近年、木製や樹脂製の釣用ルアー（疑似餌）を用いたルアーフィッシングが盛んに行われている。ルアーフィッシングでは、対象魚の種類等に応じて種々のルアーが使用されている。ルアーの中に水面で使用するバズベイトルアーと呼ばれるものがある。一例として、図８に示すように、アーム２１の上部にウイング２２ａ，２２ｂを含むバズブレイドが取り付けられ、バズブレイドの後方への移動はストッパー２３で規制され、アーム２１の下部にはヘッド２５、ラバースカート２６、フック２７が取り付けられている（非特許文献１）。このバズベイトルアー３０は、ラインを引くことにより、ウイング２２ａ，２２ｂが回転し、回転音によって魚にアピールする。バズベイトルアー３０は着水と同時に沈むので、すぐにロッドを上げてラインを引き、次いでウイング２２ａ，２２ｂが音を立て、水面で水しぶきを上げるようにラインを引く。
【０００３】
特許文献１に示されたバズベイトルアーでは、図９に示されるように、ウイング３２ａ，３２ｂを含むバズブレイドの後方軸受片３４に楕円形状の貫通孔３５が形成されている。そのため、ウイング３２ａ，３２ｂが水流抵抗を受けている状態ではバズブレイドがアームの軸線に対して偏心しないで回転するので、ブレードがアームに対してスムーズに回転するが、水流抵抗を受けていない状態にあってはバズブレイドがアームの軸線に対して偏心を繰り返して揺れながら回転するので、振動や音が発生する。
【先行技術文献】
【特許文献】
【０００４】
【特許文献１】特開２００３−６１５１９号公報
【非特許文献】
【０００５】
【非特許文献１】橋口彰一郎ら編著、「新・ルアーフィッシング入門」、２００４年７月２８日、学習研究社、４１頁
【考案の概要】
【考案が解決しようとする課題】
【０００６】
しかし、夏場、大きい魚は、石の下等に入ってなかなか動かないし、動いてもその動きは緩慢である。このような魚に対する上記従来のバズベイトルアーのアピール力は、十分ではなかった。
【０００７】
魚は、大きく不規則に動き、且つ、不規則な音を発する物に強い興味を持ち、捕食を試みる。
【０００８】
そこで、本考案は、大きく不規則に動き、且つ、不規則な音を発することにより、漁獲作用の高い、バズブレイド付き釣用ルアーを提供する。
【課題を解決するための手段】
【０００９】
本考案のバズブレイド付き釣用ルアーは、
釣糸結着部と、前記釣糸結着部よりも後方に伸びた上側アームと、前記釣糸結着部よりも後方に伸び、前記上側アームの下方に配置された下側アームとを含む、アームと、
前記上側アームに回転可能に軸着されたバズブレイドと、
前記下側アームの後端部に連結され前記下側アームに対して左右及び前後に揺動可能なブレイドと、
前記ブレイドを介して前記下側アームに連結され前記ブレイドに対して左右及び前後に揺動可能な錘と、
前記錘の後端部に連結されたフックとを含み、
前記バズブレイドが回転し前記ブレイドが揺動すると前記バズブレイドと前記ブレイドとが接触して接触音を生じる位置関係で、前記バズブレイドと前記ブレイドとが配置されている。
【考案の効果】
【００１０】
本考案のバズブレイド付き釣用ルアーは、下側アームの後端部に下側アームに対して左右及び前後に揺動可能にブレイドが連結されており、バズブレイドが回転しブレイドが揺動するとバズブレイドとブレイドとが接触して接触音を生じる位置関係で、バズブレイドとブレイドとが配置されている。そのため、本考案のバズブレイド付き釣用ルアーは、バズブレイドの回転音に加えて、上記接触音を不規則に発することができる。さらに、ブレイドを介して下側アームに連結された錘とフックはブレイドに対して左右及び前後に揺動可能であるので、ブレイドが水流抵抗を受けたりバズブレイドに接触して、左右及び前後に且つ不規則に揺動することに連動して、ブレイドに連結された錘とフックも左右及び前後に且つ不規則に揺動する。また、本考案のバズブレイド付き釣用ルアーにおける錘とフックの動きは、例えば、下側アームに錘が直接固定された従来のルアー（図８参照）と比べて遥かに大きい。よって、本考案では、回転音のみならず接触音が生じることと、ブレイド、錘、及びフックの動きが大きく且つ不規則であることとの相乗効果により、漁獲効果を向上できる。
【図面の簡単な説明】
【００１１】
【図１】図１は、本考案のバズブレイド付き釣用ルアーの一例の側面図である。
【図２】図２は、図１に示したバズブレイド付き釣用ルアーのバズブレイドを約９０度回転させた場合の側面図である。
【図３】図３は、図１に示したバズブレイド付き釣用ルアーについて、ブレイドがバズブレイドに接触する直前の様子を示した側面図である。
【図４】図４は、図１に示したバズブレイド付き釣用ルアーについて、ブレイドがバズブレイドに接触した様子を示した側面図である。
【図５Ａ】図５Ａは、図１に示したバズブレイド付き釣用ルアーを構成するバズブレイドの背面図である。
【図５Ｂ】図５Ｂは、図１に示したバズブレイド付き釣用ルアーを構成するブレイドの正面図である。
【図６】図６Ａ−Ｃは、図１に示したバズブレイド付き釣用ルアーについて使用状態を示す説明図である。
【図７】図７は、本考案のバズブレイド付き釣用ルアーの他の一例の側面図である。
【図８】図８は、従来のバズベイトルアーの側面図である。
【図９】図９は、従来の別の例のバズベイトルアーを構成するバズブレイドの背面図である。
【考案を実施するための形態】
【００１２】
本願では、本考案のバズブレイド付き釣用ルアー（以下、「ルアー」と略称する場合もある。）を構成する各部位の位置関係を説明するにあたり、ルアーの実際の使用状態において水面と直交する方向を上下方向とし、ルアーの進行方向に沿った方向を前後方向、上下方向および前後方向を含む面に直交する方向を左右方向とする。また、ルアーのうちの相対的に水面に近い側を「上側」「上方」、水面から遠い水中側を「下側」「下方」と称し、前後方向のうちの相対的に前に近い側を「前方」、後ろに近い側を「後方」と称する。本考案のルアーは、実際の使用状態において、上側アーム１ａの折り曲げ部１ｅよりも前方側部分が水面上に水面とほぼ平行に配置される（図１及び図６等参照）。
【００１３】
本考案のルアーの好ましい一例では、下側アームがその後端部にリング部を含む。ブレイドは、スプリットリングを介して下側アームに連結されている。そして、スプリットリングは、ブレイドに形成され上下方向（ブレイドの長手方向）に沿って配置された１対の第１貫通孔内に遊挿され、且つ、リング部内に遊挿されることにより、下側アームとブレイドとを連結している。このような形態のルアーでは、ブレイドが、バズブレイドと接触したり水による抵抗の変動を受けると、下側アームの軸線に対して左右及び前後に（特に左右に）大きく且つ不規則に揺動し易い。よって、ブレイドに連結された錘及びフックも、揺動するブレイドや下側アームの軸線に対して左右及び前後に（特に左右に）大きく且つ不規則に揺動し易いので、好ましい。
【００１４】
本考案のルアーの好ましい一例では、錘が、接続リングを介してブレイドに連結されている。そして、接続リングは、ブレイドの１対の第１貫通孔の下方に形成された第２貫通孔に遊挿されることにより、錘をブレイドに対して左右及び前後に揺動可能に連結している。このような形態のルアーでは、ブレイドがバズブレイドと接触したり水による抵抗の変動を受けると、ブレイドに連結された錘及びフックが、左右及び前後に（特に左右に）大きく且つ不規則に揺動し易いので、好ましい。
【００１５】
本考案のルアーの好ましい一例は、錘の先端部よりもより後方に配置されフックを覆うラバースカートをさらに含み、錘とフックとラバースカートとがラバージグを構成している。このような形態のルアーでは、錘とフックとが、ブレイドに対して左右及び前後に（特に左右に）大きく且つ不規則に揺動すると、これに伴ってラバースカートも大きく且つ不規則に揺動するので、漁獲効果がより向上し、好ましい。
【００１６】
本考案のルアーの好ましい一例では、バズブレイド及びブレイドがともに金属製である。接触音は、金属同士の接触音、即ち金属音である。このような形態のルアーでは、金属音の発生により、漁獲効果の向上が期待できるので好ましい。
【００１７】
本考案のルアーの好ましい一例では、バズブレイドは、上側アームに沿って、前後方向にスライド可能であり、例えば、水流抵抗を受けて上側アーム上の後方に移動可能であり、ブレイドとの衝突により上側アーム上の前方に移動可能である。そして、バズブレイドが上側アーム上の移動可能領域のうちの後方側に配置されたとき（例えば、移動可能領域の後方端に達したとき）に、例えば板状ブレイドの前面及び／又は上面や角と回転するバズブレイドの当該ブレイドと向かい合う面とが接触するが、バズブレイドが上側アーム上の移動可能領域のうちの前方側に配置されたときには（例えば、移動可能領域の前方端に達したときには）、ブレイドと回転するバズブレイドは接触しない構成であると好ましい。このように、バズブレイドのポジションの相違によって、回転中のバズブレイドが揺動中のブレイドと接触したり接触しなかったりする構成では、バズブレイドとブレイドとの接触音の発生について不規則性を高めることができる。
【００１８】
以下、図面を用いて、本考案のバズブレイド付き釣用ルアーの一例について説明する。
【００１９】
図１は、本考案のルアーの一例の側面図であり、図２は、図１に示したルアー１０のバズブレイドを約９０度回転させた場合の側面図である。図３は、ルアー１０について、ブレイドがバズブレイドに接触する直前の様子を示した側面図であり、図４は、ルアー１０について、ブレイドがバズブレイドに接触した様子を示した側面図である。図５Ａは、ルアー１０を構成するバズブレイドの背面図であり、図５Ｂは、ルアー１０を構成するブレイドの正面図である。
【００２０】
図１〜図４に示されるように、ルアー１０は、アーム１と、バズブレイド２と、ブレイド８と、錘５と、フック７とを含む。錘５はヘッドとも呼ばれる。アーム１は、釣糸を結びつけるための釣糸結着部１ｄと、釣糸結着部１ｄよりも後方に配置された上側アーム１ａと下側アーム１ｂとを含む。上側アーム１ａは、シャフトとも呼ばれ、釣糸結着部１ｄから斜め上方に向かってのびた傾斜部１ｃを介して釣糸結着部１ｄに連結されている。下側アーム１ｂは、例えば、上側アーム１ａの真下に配置されている。すなわち、上側アーム１ａと、傾斜部１ｃと、後述するリング部１ｆを除いた下側アーム１ｂの残余の部分は、同一平面内に配置されている。当該平面は、例えば、左右方向と直交する。傾斜部１ｃと上側アーム１ａとの境界（すなわち、屈曲点１ｇ）によって、バズブレイド２の前方への滑動が規制されている。
【００２１】
上側アーム１ａには、その軸線を中心に回転可能にバズブレイド２が軸着されている。バズブレイド２は、略ハート状の板状部材のうちの一方の略半円形部分を前方へ屈曲させ、他方の略半円形部分を後方へ屈曲させることにより形成された水受部２ｄ、２eを含む。また、バズブレイド２は、バズブレイド２を上側アーム１ａの回りを回転可能且つ上側アーム１ａの長手方向（前後方向）に沿って滑動可能とする、軸着状態の保持構造を含む。板状部材の厚みは、その材料によって異なるが、通常、０．４〜０．６ｍｍである。
【００２２】
上記保持構造としては、例えば、前方ガイド部２ｆ（図５Ａ参照）と、後方ガイド部２ｇ（図５参照）と、中間ガイド部２ｈ（図３参照）とを含む。前方ガイド部２ｆは、板状部材の前方側先端を一方の主面側に折り曲げ、当該折り曲げ片に上側アーム１ａが挿通される孔を形成することで形成されている。後方ガイド部２ｇは、１対の略半円形部分の間において板状部材の一部を他方の主面側に折り曲げ、当該折り曲げ片に上側アーム１ａが挿通される孔が形成されることで形成されている。中間ガイド部２ｈは、前方ガイド部２ｆの孔と後方ガイド部２ｇの孔とを通る直線上に形成され板状部材を厚み方向に貫通する貫通孔である。上側アーム１ａが、前方ガイド部２ｆの孔、中間ガイド部２ｈの上記貫通孔、及び、後方ガイド部２ｇの孔に挿入されることにより、バズブレイド２の上側アーム２ａへの軸着が保持されているが、上記保持構造は、バズブレイド２が上側アーム２ａ上でスムーズに回転されるべく、板状部材の上側アーム１ａと面する面を窪ませることにより形成され、中間ガイド部２ｈと連通した上側アーム受容部２ｃをさらに含んでいてもよい。
【００２３】
上側アーム１ａの後端部は下方に折り曲げられた折り曲げ部１ｅを含む。上側アーム１ａ上の、折り曲げ部１ｅとバズブレイド２との間には、円筒状スペーサ３が取り付けられている。円筒状スペーサ３は、上側アーム１ａの回りを回転可能、且つ、折り曲げ部１ｅとバズブレイド２との間において上側アーム１ａ上を前後動可能である。円筒状スペーサ３は、下方に折り曲げられた折り曲げ部１ｅによって上側アーム１ａから抜け落ちない。バズブレイド２の後方への滑動は、この円筒状スペーサ３の移動が折り曲げ部１ｅにより規制されることにより、規制される。
【００２４】
図１〜４に示されるように、バズブレイド２は、２枚羽根２ａ，２ｂを含むのダブルウイングであるが、３枚羽根のトリプルウイングでもよい。
【００２５】
下側アーム１ｂの後端部はリング状に形成されたリング部１ｆを含んでいる。このリング部１ｆにはスプリットリング９を介して板状のブレイド８が連結され、ブレイド８には接続リング１１を介してラバージグ１２が連結されている。ラバージグ１２は、錘５と、錘５の後端部に連結されたフック７と、フック７を覆うラバースカート６とを含む。
【００２６】
ブレイド８は、バズブレイド２が上側アーム１ａを中心に回転するときにバズブレイド２に接触して接触音を発する位置に配置されている。ブレイド８の位置は、下側アーム１ｂの長さや下側アーム１ｂの傾斜角度等によって調整できる。例えば、下側アーム１ｂの前方側部分の方が後方側部分の方が低くなる（下になる）ように下側アーム１ｂを傾斜させ、バズブレイド２からブレイド８を遠ざければ、バズブレイド２にブレイド８が接触する頻度が低下する反面、接触音の発生の不規則性が増す。よって、接触頻度の保持と接触音発生の不規則性の向上とが両立されるように、ブレイド８の配置位置が決定されると好ましい。下側アーム１ｂの傾斜角度は、バズブレイド２やブレイド８の大きさ等を考慮して適宜決定すればよい。
【００２７】
図４に示されるように、ルアー１０では、バズブレイド２の水受部２ｄ、２eの後面とブレイド８の前面及び／又は上面や角とが接してバズブレイド２とブレイド８との接触音が発せられるが、本考案のルアーでは、上記接触音が発せられる限り、バズブレイド２のブレイド８と接する箇所について特に制限はない。しかし、ブレイド８によってバズブレイド２の回転が妨げられる可能性が低いという理由から、バズブレイド２のブレイド８と接する箇所は、水受部２ｄ、２eの後面が好ましい。
【００２８】
図５Ｂ等に示されるように、ブレイド８には、１対の第１貫通孔８ａが形成されている。１対の第１貫通孔８ａは、上下方向（ブレイド８の長手方向）に沿って形成されており、ブレイド８が、水流を効率よく受けることができ、且つ、下側アーム１ｂに対して左右及び前後に揺動できる位置に形成されている。下側アーム１ｂとブレイド８とを連結するスプリットリング９が、１対の第１貫通孔８ａに対して遊びがある状態で挿入され（即ち、遊挿され）ている。また、スプリットリング９は、リング部１ｆのリング孔に対しても遊びがある状態で挿入され（即ち、遊挿され）ている。そのため、ブレイド８は、バズブレイド２と接触したり水の抵抗の変動を受けると、左右及び前後に（特に左右に）大きく且つ不規則に揺動し易い。故に、ブレイド８に連結されたラバージグ１２も、ブレイド８の揺動に連動して、左右及び前後に（特に左右に）大きく且つ不規則に揺動し易い。
【００２９】
また、ブレイド８には、１対の第１貫通孔８ａを通る直線上であって、１対の第１貫通孔８ａよりも下方に、第２貫通孔８ｂが形成されている。この第２貫通孔８ｂに、ラバージグ１２とブレイド８とを連結する接続リング１１が遊挿されているので（図４等参照）、ブレイド８に対してラバージグ１２は左右及び前後に（特に左右に）大きく且つ不規則に揺動でき、且つ、ルアーの泳動バランスも良い。
【００３０】
１対の第１貫通孔８ａの好ましい形成位置については、ブレイド８の形状等に応じて異なるが、ブレイド８が水流を効率よく受けることが可能となるという理由から、例えば、図５Ｂに示されるように、厚みが一定な板状のブレイド８において、１対の第１貫通孔８ａよりも上側部分８ｃの面積の方が、１対の第１貫通孔８ａのうちの上側の１貫通孔８ａよりも下側部分８ｄの面積よりも大きくなるように、１対の第１貫通孔８ａが形成されていると好ましい。尚、図５Ｂにおいて、上側部分８ｃと下側部分８ｄの境界を破線で示している。また、下側アーム１ｂに対してブレイド８がより大きく左右に揺動可能となるという理由から、１対の第１貫通孔８ａのうちの上側の１貫通孔８ａの直径が下側の１貫通孔８ａのそれよりも大きいと好ましい。
【００３１】
バズブレイド２及びブレイド８の材質は、金属、プラスチック等を使用できる。金属としては、アルミニウム、マクネシウム、ジュラルミン、銅、ステンレスなどの比重の軽いものが好ましい。プラスチックとしては、ＡＢＳ樹脂、アクリル樹脂、ポリアセタール樹脂、ナイロン樹脂、ポリエステル樹脂などの硬質樹脂が好ましい。これらの中でも、特に金属製が好ましいが、ルアーの下方を上方よりも重くすることにより安定した泳動姿勢を得やすくする、例えば、ルアーが泳動中に斜めに傾くことを抑制する観点から、バズブレイド２よりもブレイド８の材料の方が比重が大きいと好ましく、例えば、バズブレイド２がアルミニウム製である場合、ブレイド８はステンレス製であるとより好ましい。金属同士であれば接触音も金属音となり集魚効果が向上する。
【００３２】
ブレイド８は、例えば、上記金属からなるシートを、所望の形状に打ち抜くことにより形成できる。ブレイドの好ましい厚みは、その材料により異なるが、通常、０．３〜０．５ｍｍ程度である。
【００３３】
以上のことから、ルアー１０は、上記構成により、バズブレイド２が回転するときにバズブレイド２が揺動中のブレイド８に不規則に接触して接触音を発し、バズブレイド２の回転音と相俟って効果的な集魚音を発する。そして、ブレイド８は、水による抵抗の変動を受けたり、バズブレイド２に接触したりすることによって、左右及び前後に（特に左右に）大きく且つ不規則に揺動するので、ブレイド８に対して左右及び前後に揺動可能に連結されたラバージグ１２もまた左右及び前後に（特に左右に）大きく且つ不規則に揺動する。よって、ルアー１０は動きが大きく、しかもその動きについて不規則性が高く、且つ、不規則な音を発するので、漁獲作用が高い。
【００３４】
図６Ａ-Ｃは、ルアー１０の使用状態を示す説明図である。図６Ａ−Ｃに示されるように、上側アーム１ａの折り曲げ部１ｅよりも前方側部分が水面上に水面とほぼ平行に配置されるようにラインを引くことにより、バズブレイド２のウイングが水面上に配置され、水流抵抗を受けると左回りの矢印Ｒの方向に回転し（図２、図５Ａ参照）、ラバージグ１２は、バズブレイド２の下部に配置され、ルアー１０は、水しぶきを上げて遊動する。
【００３５】
図７に、本考案のルアーの他の一例の側面図を示している。図７に示されたルアー２０では、錘１５が、魚の頭部を模した形状をしており、ラバースカートに代えて、魚の中間部および後部を模したゴム等の可撓性材料からなる部材１６が錘１５に連結されていること以外は、図１〜図４に示したルアーと同構成をしている。図７において、部材番号１７はフックを示している。
【実施例】
【００３６】
以下、実施例を用いて本考案をさらに具体例に説明する。なお、本考案は下記の実施例に限定されるものではない。
【００３７】
（実施例１）
図１〜図４に示されるルアー１０を作製した。アーム１は、直径１ｍｍの硬質ステンレスからなり、上側アーム１ａの長さは５．５ｃｍ、上側アームの折り曲げ部１ｅの長さは０．５ｃｍ、下側アーム１ｂの長さは４．５ｃｍ、傾斜部１ｃの長さは２．８ｃｍ、リング部１ｆの内径は２．５ｍｍとした。上側アームの折り曲げ部１ｅよりも前方側部分と平行な線を基準線Ｓ（図１参照）とすると、下側アーム１ｂは、基準線に対して下方に７°傾斜させた。スペーサ３には鉄製円筒体を用いた。バズブレイド２には、厚み０．６ｍｍのアルミニウム板を用い、その寸法は、図５Ａに示すＬ１が４８ｍｍであり、ウイングの最大回転面積Ｓ１(π×２０2)は１５０７ｍｍ2であった。ブレイド８には、厚み０．３５ｍｍのステンレス板を用い、その寸法は、図５Ｂに示すＬ２が２．８ｃｍであり、面積は４７１ｍｍ2であった。ブレイド８の先端から１．７ｃｍ、２．１ｃｍ下方に直径２．５ｍｍと２ｍｍの第１貫通孔８ａをこの順で形成し、ブレイド８の下端から２ｍｍ上方に直径２ｍｍの第２貫通孔８ｂを形成した。錘５の重量は１０ｇ、全体の重量は１７ｇであった。
【００３８】
このルアー１０の釣糸結着部１ｄにラインを取り付け、リールで通常の使用速度の約０．６〜１．２ｍ／秒で引いたとき、図６Ａ−Ｃに示されるように、バズブレイド２の回転音と水切り音及びブレイド８とバズブレイド２との接触音が発生し、ラバージグ１２は、動きが大きく、且つ不規則に泳動した。
【符号の説明】
【００３９】
１０,２０      バズブレイド付き釣用ルアー
１              アーム
１ａ            上側アーム
１ｂ            下側アーム
１ｄ            釣糸結着部
１ｅ            折り曲げ部
１ｆ            リング部
２              バズブレイド
３              スペーサ
５，１５        錘
６              ラバースカート
７，１７        フック
８              ブレイド
８ａ            第１貫通孔
８ｂ            第２貫通孔
１２            ラバージグ
９              スプリットリング
１１            接続リング
１６            魚の中間部および後部を模したゴム等の可撓性材料からなる部材
【図１】
0003170756.tif 000003
【図２】
0003170756.tif 000004
【図３】
0003170756.tif 000005
【図４】
0003170756.tif 000006
【図５Ａ】
0003170756.tif 000007
【図５Ｂ】
0003170756.tif 000008
【図６】
0003170756.tif 000009
【図７】
0003170756.tif 000010
【図８】
0003170756.tif 000011
【図９】
0003170756.tif 000012